(57)【特許請求の範囲】
【請求項１】
モータに設けられ該モータのロータを保持または制動するブレーキの状態を検査するモータのブレーキ検査装置であって、
モータの負荷トルクを測定する負荷トルク測定部と、
該負荷トルク測定部により、前記モータのステータに対してロータを制動するブレーキを作動させたときおよび作動解除させたときに測定された前記負荷トルクに基づいて前記ブレーキの状態を判定する判定部とを備えるモータのブレーキ検査装置。
【請求項２】
前記判定部は、前記ブレーキを作動させたときに前記負荷トルク測定部により測定された前記負荷トルクに対する、前記ブレーキを作動解除させたときに前記負荷トルク測定部により測定された前記負荷トルクの比が、所定の閾値より大きい場合に、前記ブレーキに異常があると判定する請求項１に記載のモータのブレーキ検査装置。
【請求項３】
前記判定部が、前記ブレーキを作動させた状態で前記モータを両方向に作動させて前記負荷トルク測定部により測定された正逆方向の前記負荷トルクと、前記ブレーキを作動解除させた状態で、前記モータを両方向に作動させて前記負荷トルク測定部により測定された正逆方向の前記負荷トルクに基づいて前記ブレーキの状態を判定する請求項１に記載のモータのブレーキ検査装置。
【請求項４】
前記判定部は、前記ブレーキを作動させた状態で測定された正逆方向の前記負荷トルクの平均値と、前記ブレーキを作動解除させた状態で測定された正逆方向の前記負荷トルクの平均値との差分の正常時のブレーキトルクに対する比率が所定の閾値より小さい場合に前記ブレーキに異常があると判定する請求項３に記載のモータのブレーキ検査装置。
【請求項５】
前記判定部は、前記ブレーキの異常として、前記ブレーキが正常に解除されていないと判定する請求項２または請求項４に記載のモータのブレーキ検査装置。
【請求項６】
モータに設けられ該モータのロータを保持または制動するブレーキの状態を検査するモータのブレーキ検査方法であって、
ブレーキを作動させたときにモータにかかる負荷トルクを測定する第１のステップと、
前記ブレーキを作動解除させたときに前記モータにかかる前記負荷トルクを測定する第２のステップと、
前記第１のステップおよび前記第２のステップにおいて測定された負荷トルクに基づいて前記ブレーキの状態を判定する第３のステップとを含むモータのブレーキ検査方法。
【発明の詳細な説明】
【技術分野】
【０００１】
本発明は、ブレーキ検査装置およびブレーキ検査方法に関するものである。
【背景技術】
【０００２】
従来、ブレーキを解除した状態での負荷トルクを測定し、測定された負荷トルクを予め設定されている正常な負荷トルクと比較することによりブレーキの異常の有無を検知するブレーキの故障検出方法が知られている（例えば、特許文献１および特許文献２参照。）。
【先行技術文献】
【特許文献】
【０００３】
【特許文献１】特開平６−２８４７６６号公報
【特許文献２】特開２０００−３２４８８５号公報
【発明の概要】
【発明が解決しようとする課題】
【０００４】
しかしながら、モータの負荷トルクは経時変化およびモータを装着する機械毎の個体差によって変動するため、特許文献１および特許文献２の故障検出方法では、ブレーキの状態を精度よく検出することができないという不都合がある。
【０００５】
本発明は上述した事情に鑑みてなされたものであって、モータの負荷トルクが変動してもブレーキの状態を精度よく検出することができるブレーキ検査装置およびブレーキ検査方法を提供することを目的としている。
【課題を解決するための手段】
【０００６】
上記目的を達成するため、本発明は以下の手段を提供する。
モータの負荷トルクを測定する負荷トルク測定部と、該負荷トルク測定部により、前記モータのステータに対してロータを制動するブレーキを作動させたときおよび作動解除させたときに測定された前記負荷トルクに基づいて前記ブレーキの状態を判定する判定部とを備えるモータのブレーキ検査装置を提供する。
【０００７】
本態様によれば、ブレーキを作動させてステータに対してロータを制動状態にして負荷トルク測定部によりモータの負荷トルクが測定されるとともに、ブレーキの作動を解除して、ステータに対してロータを回転可能にして負荷トルク測定部によりモータの負荷トルクが測定され、判定部により２つの負荷トルクに基づいてブレーキの状態が判定される。すなわち、ブレーキの状態が不良の場合、例えば、ブレーキの作動を解除する機構部が故障している場合には、制動を解除した状態で測定される負荷トルクが大きくなって制動時の負荷トルクに近くなる。
【０００８】
したがって、ブレーキの作動時と作動解除時に測定された負荷トルクに基づけば、ブレーキの状態を容易に判定することができる。この場合に、経時変化あるいはモータの個体差により、モータの負荷トルクが変動しても、ブレーキの作動時と作動解除時の両方の負荷トルクを測定することによって、両者の比較により、ブレーキの状態を精度よく検出することができる。
【０００９】
上記態様においては、前記判定部は、前記ブレーキを作動させたときに前記負荷トルク測定部により測定された前記負荷トルクに対する、前記ブレーキを作動解除させたときに前記負荷トルク測定部により測定された前記負荷トルクの比が、所定の閾値より大きい場合に、前記ブレーキに異常があると判定してもよい。
このようにすることで、ブレーキ作動解除時の負荷トルクが大きくなるとブレーキの作動を解除する機構部が故障している可能性がある。したがって、ブレーキ作動時の負荷トルクに対するブレーキ作動解除時の負荷トルクの比が所定の閾値より大きい場合には、ブレーキが異常であると容易にかつ精度よく判定することができる。
【００１０】
また、上記態様においては、前記判定部が、前記ブレーキを作動させた状態で前記モータを両方向に作動させて前記負荷トルク測定部により測定された正逆方向の前記負荷トルクと、前記ブレーキを作動解除させた状態で、前記モータを両方向に作動させて前記負荷トルク測定部により測定された正逆方向の前記負荷トルクに基づいて前記ブレーキの状態を判定してもよい。
このようにすることで、正逆方向に負荷トルクが異なる場合においても、ブレーキの作動時と作動解除時の負荷トルクの比較によってブレーキの状態を容易にかつ精度よく判定することができる。
【００１１】
また、上記態様においては、前記判定部は、前記ブレーキを作動させた状態で測定された正逆方向の前記負荷トルクの平均値と、前記ブレーキを作動解除させた状態で測定された正逆方向の前記負荷トルクの平均値との差分の正常時のブレーキトルクに対する比率が所定の閾値より小さい場合に前記ブレーキに異常があると判定してもよい。
このようにすることで、平均値の差分によっても、ブレーキの作動時と作動解除時の負荷トルクの違いを評価に含めることができ、ブレーキの状態を容易にかつ精度よく判定することができる。
【００１２】
また、本発明の他の態様は、ブレーキを作動させたときにモータにかかる負荷トルクを測定する第１のステップと、前記ブレーキを作動解除させたときに前記モータにかかる負荷トルクを測定する第２のステップと、前記第１のステップおよび前記第２のステップにおいて測定された前記負荷トルクに基づいて前記ブレーキの状態を判定する第３のステップとを含むモータのブレーキ検査方法を提供する。
【発明の効果】
【００１３】
本発明によれば、モータの負荷トルクが変動してもブレーキの状態を精度よく検出することができるという効果を奏する。
【図面の簡単な説明】
【００１４】
【図１】本発明の一実施形態に係るモータのブレーキ検査装置を示すブロック図である。
【図２】図１のブレーキ検査装置を用いた本発明の一実施形態に係るブレーキ検査方法を説明するフローチャートである。
【図３】図２のブレーキ検査方法の変形例を示すフローチャートである。
【発明を実施するための形態】
【００１５】
本発明の一実施形態に係るモータ２のブレーキ検査装置１およびブレーキ検査方法について、図面を参照して以下に説明する。
本実施形態に係るモータ２のブレーキ検査装置１は、図１に示されるように、モータ２を制御するモータ制御部３に備えられ、モータ２を制御するためにモータ２からモータ制御部３にフィードバックされる電流を測定することによりモータ２にかかる負荷トルクを測定する負荷トルク測定部４と、該負荷トルク測定部４により測定された負荷トルクに基づいてブレーキ７の状態を判定する判定部５と、ブレーキ７を制御するブレーキ制御部６とを備えている。
【００１６】
判定部５は、ブレーキ７の状態を検査する検査指示に基づいて、まず、ブレーキ制御部６に対してモータ２のステータ２ａに対してロータ２ｂを制動するブレーキ７の作動を解除させる指令を出力したときに負荷トルク測定部４により測定される負荷トルクＴ１を記憶するようになっている。次いで、判定部５は、ブレーキ制御部６に対してブレーキ７を作動させる指令を出力したときに負荷トルク測定部４により測定される負荷トルクＴ２を記憶するようになっている。
【００１７】
そして、判定部５は、ブレーキ７作動時の負荷トルクＴ２に対するブレーキ７作動解除時の負荷トルクＴ１の比Ｔ＝Ｔ１／Ｔ２×１００（％）を算出し、算出された負荷トルク比Ｔが、所定の閾値Ｔａより大きいか否かによってブレーキ７の状態を判定し、判定結果を出力するようになっている。
【００１８】
すなわち、判定部５は、負荷トルクの比Ｔが所定の閾値Ｔａ以下である場合には、ブレーキ７が正常に解除されていると判定し、閾値Ｔａより大きい場合には、ブレーキ７に異常があると判定するようになっている。
【００１９】
このように構成された本実施形態に係るブレーキ検査装置１を用いたブレーキ検査方法について以下に説明する。
本実施形態に係るブレーキ検査方法は、図２に示されるように、ブレーキ制御部６がブレーキ７を作動解除させるステップＳ１と、そのときの負荷トルクＴ１を負荷トルク測定部４により測定するステップ（第２のステップ）Ｓ２と、ブレーキ制御部６がブレーキ７を作動させるステップＳ３と、そのときの負荷トルクＴ２を負荷トルク測定部４により測定するステップ（第１のステップ）Ｓ４と、ステップＳ２およびステップＳ４において測定された負荷トルクＴ１，Ｔ２に基づいてブレーキ７の状態を判定するステップ（第３のステップ）Ｓ５とを含んでいる。
【００２０】
第３のステップＳ５は、第１のステップＳ４および第２のステップＳ２において測定された負荷トルクＴ１，Ｔ２の負荷トルク比Ｔを算出するステップＳ６と、該ステップＳ６において算出された負荷トルク比Ｔを所定の閾値Ｔａと比較する比較ステップＳ７とを含んでいる。比較ステップＳ７においては、負荷トルク比Ｔが所定の閾値Ｔａ以下である場合には、ブレーキ７が正常に解除されている旨を出力し（ステップＳ８）、閾値Ｔａより大きい場合には、ブレーキ７に異常がある旨を出力するようになっている（ステップＳ９）。
【００２１】
このように構成された本実施形態に係るブレーキ検査装置１およびブレーキ検査方法によれば、常に、その時点でのブレーキ７の状態が、作動状態と作動解除状態での負荷トルクＴ１，Ｔ２の比較により判定することができる。その結果、ブレーキ７が作動解除された状態で測定された負荷トルクＴ１を、記憶しておいたブレーキ７が正常状態であるときの負荷トルクＴ２と比較する従来の方法に比べて、モータ２の経時変化や個体差によって負荷トルクＴ１，Ｔ２が変動しても簡易に精度よくブレーキ７の状態を判定することができるという利点がある。
【００２２】
なお、本実施形態においては、ブレーキ７を作動させたときの負荷トルクＴ２に対するブレーキ７を作動解除させたときの負荷トルクＴ１の負荷トルク比Ｔに基づいてブレーキ７の状態を検査した。これに代えて、ブレーキ７を作動させた状態と作動解除させた状態で、モータ２を両方向に作動させて負荷トルク測定部４により測定された正逆方向の負荷トルクに基づいてブレーキ７の状態を判定してもよい。
【００２３】
具体的には、図３に示されるように、ブレーキ７を作動解除させた状態（ステップＳ１）で、プラス方向負荷トルクＴ１（＋）とマイナス方向負荷トルクＴ１（−）を測定し（ステップＳ１０）、ブレーキ７を作動させた状態（ステップＳ３）で、プラス方向負荷トルクＴ２（＋）とマイナス方向負荷トルクＴ２（−）を測定し（ステップＳ１２）、ブレーキ７解除状態の平均負荷トルクＴ１＝（Ｔ１（＋）−Ｔ１（−））／２と、ブレーキ７作動状態の平均負荷トルクＴ２＝（Ｔ２（＋）−Ｔ２（−））／２とを算出する（ステップＳ１１，Ｓ１３）。
【００２４】
そして、ブレーキ７が正常であるか否かを判定する第３のステップＳ５において、ブレーキトルクＴｂ＝Ｔ２−Ｔ１を算出し（ステップＳ１４）、正常時のブレーキ７の負荷トルクＴ０として、Ｔ＝Ｔｂ／Ｔ０×１００（％）を算出する（ステップＳ６）。これにより、所定の閾値Ｔａ（％）と比較して（ステップＳ１５）、Ｔ≧Ｔａであればブレーキ７は正常であると判定し（ステップＳ８）、Ｔ＜Ｔａであればブレーキ７に異常があると判定することにしてもよい（ステップＳ９）。
【００２５】
このように、正逆方向の負荷トルクを測定してブレーキ７の状態を判定することにより、負荷トルクがモータ２の正逆方向で異なっても、簡易に精度よくブレーキ７の状態を検査することができるという利点がある。また、本実施形態に係るブレーキ検査装置１およびブレーキ検査方法によれば、ブレーキ７の状態を検査するためにオシロスコープ等の外部機器を設置する必要がなく、設置に要する工数やコストをかけずに、ブレーキ７の状態を定期的にあるいは必要に応じて監視することができるという利点がある。
【００２６】
また、重力軸を駆動するモータ２に備えられたブレーキ７を検査する場合には、プラス方向を上方向、マイナス方向を下方向と定め、ブレーキ７作動状態におけるマイナス方向の負荷トルクＴ２（−）として重力軸が落下するまでのマージントルクＴｍを採用し、ブレーキトルクＴｂに対するマージントルクＴｍの比Ｔ＝Ｔｍ／Ｔｂ×１００（％）が、所定の閾値Ｔａと比較して、Ｔ≧Ｔａであればブレーキ７は正常であると判定し、Ｔ＜Ｔａであればブレーキ７に異常があると判定することにしてもよい。
【符号の説明】
【００２７】
１  ブレーキ検査装置
２  モータ
２ａ  ステータ
２ｂ  ロータ
４  負荷トルク測定部
５  判定部
７  ブレーキ
Ｓ２  第２のステップ
Ｓ４  第１のステップ
Ｓ５  第３のステップ
Ｔ０，Ｔ１，Ｔ２  負荷トルク
Ｔａ  閾値
Ｔｂ  ブレーキトルク
【図１】
0006382882.tif 000002
【図２】
0006382882.tif 000003
【図３】
0006382882.tif 000004